(57)【特許請求の範囲】
【請求項１】
少なくとも２つの制御指示及び当該少なくとも２つの制御指示の実行順序を受信するために構成される入力ユニットであって、ここで、前記少なくとも２つの制御指示が少なくとも１つのスマート照明装置の指示及び制御のために用いられる入力ユニット、
前記少なくとも２つの制御指示を制御指示セットに封入するために、前記入力ユニットに接続される処理ユニットであって、ここで、前記制御指示セットが前記少なくとも２つの制御指示及び前記少なくとも２つの制御指示の実行順序の情報を含む処理ユニット、及び
前記制御指示セットを前記少なくとも１つのスマート照明装置に送信するために、前記処理ユニットに接続される高周波（ＲＦ）ユニット、
を含む制御端末。
【請求項２】
前記入力ユニットが前記少なくとも２つの制御指示をユーザーの一連の入力から受信するように構成され、及び
前記少なくとも２つの制御指示の実行順序がユーザーの一連の入力の順序である、
請求項１に記載の制御端末。
【請求項３】
前記少なくとも２つの制御指示の実行順序が前記少なくとも２つの制御指示を実行するための時間系列により決定される、
請求項１に記載の制御端末。
【請求項４】
さらに、
前記少なくとも１つのスマート照明装置を制御して少なくとも１つの制御効果に対応する照明効果を提供するために用いられる前記少なくとも２つの制御指示に対応する、前記少なくとも１つの制御効果を保存するためのメモリー・ユニット、
を含む請求項１に記載の制御端末。
【請求項５】
前記入力ユニットが、さらに、前記メモリー・ユニットに保存される制御効果を示すユーザー入力を受信し、及び前記少なくとも２つの制御指示、及び前記制御効果に基づく前記少なくとも２つの制御指示の実行順序を決定する、
請求項４に記載の制御端末。
【請求項６】
前記高周波（ＲＦ）ユニットが送信器及び変調回路を含む、請求項１〜５のいずれか１項に記載の制御端末であって、ここで、
前記変調回路が、変調された制御信号を取得するために予め設定される変調スキームに基づき前記制御指示セットを変調するために構成され、及び
前記送信器が、前記変調された制御信号を前記少なくとも１つのスマート照明装置に無線送信するため、前記変調回路と接続される、
制御端末。
【請求項７】
制御端末により送信される制御指示セットを受信するために構成される高周波ユニット、
前記制御指示セットを解析して少なくとも２つの制御指示及び前記少なくとも２つの制御指示の実行順序を取得するために、前記高周波ユニットと接続される処理ユニット、
前記少なくとも２つの制御指示をキャッシュするために、前記処理ユニットと接続されるキャッシュ・ユニット、及び
前記キャッシュ・ユニットと接続され、及び前記少なくとも２つの制御指示にしたがって照明を制御するように構成される照明モジュール、
を含むスマート照明装置であって、ここで、
前記処理ユニットが前記少なくとも２つの制御指示を前記キャッシュ・ユニットに前記実行順序にしたがって連続的に送信するように構成され、及び
前記キャッシュ・ユニットが、さらに、前記少なくとも２つの制御指示を前記照明モジュールに先入れ先出しの順序で送信するように構成される、
スマート照明装置。
【請求項８】
前記キャッシュ・ユニットが、さらに、前記少なくとも２つの制御指示を前記照明モジュールに、予め設定される時間間隔で先入れ先出しの順序で次々に送信するように構成される、
請求項７に記載のスマート照明装置。
【請求項９】
前記処理ユニットが、さらに、前記少なくとも２つの制御指示における実行時間点にしたがってクロック信号を発生するように構成され、
前記クロック信号のクロックエッジが実行時間点と同期し、及び
前記キャッシュ・ユニットが、さらに、制御指示を前記照明モジュールに、近づきつつある前記クロック信号のクロックエッジにおいて先入れ先出しの順序で送信するように構成される、
請求項７に記載のスマート照明装置。
【請求項１０】
前記高周波ユニットが受信器及び復調回路を含む、請求項７〜９のいずれか１項に記載のスマート照明装置であって、ここで、
前記受信器が前記制御端末から無線送信される変調信号を受信するために構成され、及び
前記復調回路が、前記変調信号を復調して、前記少なくとも２つの制御指示に対応する制御指示セットを取得するために、前記受信器と接続される、
スマート照明装置。
【請求項１１】
請求項１〜６のいずれか１項に記載の少なくとも１つの制御端末、及び
請求項７〜１０のいずれか１項に記載の少なくとも１つのスマート照明装置
を含む照明システム。
【請求項１２】
前記少なくとも１つの制御端末が、携帯電話、携帯情報端末（personal digital assistant）、パソコン、ホームゲートウェイ（home gateway）、無線モデム、セットトップボックス（set-top box）、データカード（data card）、及び無線ルーターの少なくとも１つである、
請求項１１に記載の照明システム。
【発明の詳細な説明】
【技術分野】
【０００１】
このＰＣＴ出願は、2015年1月22日に出願された中国特許出願番号201510031841.3に基づく優先権を主張し、この出願全体の内容は本発明に参照により取り込まれる。
【０００２】
本願開示の主題は、一般に照明技術の分野、特に詳しくは、スマート照明装置、関連する制御端末、及び関連する照明システムに関する。
【背景技術】
【０００３】
スマート家庭技術の継続的な発展にともない、遠隔制御は家庭照明において広範に用いられている。現在、無線通信装置は照明システムにおけるスマート照明制御用に普通に用いられている。１つの制御端末及び１又は複数のスマート照明装置はインターネットに接続することができる。ユーザーは、制御指示を前記制御端末からインターネットを介して１又は複数のスマート照明装置に送信することができ、及び１又は複数のスマート照明装置をそれぞれの制御指示にしたがって制御することができる。
【発明の概要】
【発明が解決しようとする課題】
【０００４】
しかしながら、データ損失、データ崩壊、パケット遅延変動、不十分なバンド幅、ネットワーク渋滞等のような、いくつかのネットワーク性能の問題のために、インターネットを越えて伝達される制御指示は特定の遅延を有する可能性がある。このような状況において、スマート照明装置は連続制御下におかれる必要があり得るが、一連のタイムリーな制御指示を受信できない可能性がある。例えば、２つの隣接した制御指示の間の受信の時間間隔は、前記制御を円滑にするには長すぎる。そこで、前記制御端末の前記１又は複数のスマート照明装置へのタイミングの良さが問題になり得る。
【０００５】
よって、スマート照明装置、関連する制御端末、及び関連する照明システムを提供することが望ましい。
【課題を解決するための手段】
【０００６】
本願開示主題のいくつかの態様にしたがい、スマート照明装置、関連する制御端末、及び関連する照明システムが提供される。
【０００７】
本願開示の１つの側面により、制御端末が提供される。当該制御端末には、少なくとも２つの制御指示及び当該少なくとも２つの制御指示の実行順序の受信用に構成される入力ユニット、前記少なくとも２つの制御指示を制御指示セットに封入する（encapsulating）ための前記入力ユニットに接続される処理ユニット、及び前記制御指示セットを前記少なくとも１つのスマート照明装置に伝達（transmitting）用の前記処理ユニットに接続される高周波ユニット（radiofrequency unit）が含まれる。前記少なくとも２つの制御指示のそれぞれは、少なくとも１つのスマート照明装置に指示及び制御をするために用いられる。前記制御指示セットには、前記少なくとも２つの制御指示及び前記少なくとも２つの制御指示の実行順序（execution order）の情報が含まれる。
【０００８】
任意に、前記入力ユニットは、ユーザーの一連の入力からの前記少なくとも２つの制御指示を受信するように構成され、及び前記少なくとも２つの制御指示の前記実行順序は前記ユーザーの一連の入力の順序である。
【０００９】
任意に、前記少なくとも２つの制御指示の前記実行順序は、前記少なくとも２つの制御指示を実行するための時間系列（time sequence）により決定される。
【００１０】
任意に、メモリー・ユニットは、前記少なくとも１つのスマート照明装置を制御して前記少なくとも１つの制御効果に対応する照明効果を提供するために用いられる前記少なくとも２つの制御指示に対応する、少なくとも１つの制御効果を保存するように構成される。
【００１１】
任意に、前記入力ユニットは、さらに、前記メモリー・ユニットに保存される制御効果を示すユーザー入力を受信し、並びに前記少なくとも２つの制御指示及び前記制御効果に基づく前記少なくとも２つの制御指示の前記実行順序を決定するように構成される。
【００１２】
任意に、前記高周波（ＲＦ）ユニットには、送信器（transmitter）及び変調回路が含まれる。前記変調回路は、変調された制御信号を取得するために予め設定される変調スキームに基づき前記制御指示セット変調するように構成され、及び前記送信器は、前記変調された制御信号を前記少なくとも１つのスマート照明装置に無線送信するための前記変調回路に接続される。
【００１３】
本願開示のもう１つの側面により、スマート照明装置が提供される。前記スマート照明装置には、制御端末により送信される制御指示セットの受信用に構成される高周波ユニット、少なくとも２つの制御指示及び当該少なくとも２つの制御指示の実行順序を取得するために前記制御指示セットを解析する（parsing）ための、前記高周波ユニットに接続される処理ユニット、前記少なくとも２つの制御指示をキャッシュ（cache）するための、前記処理ユニットと接続されるキャッシュ・ユニット（cache unit）、及び前記キャッシュ・ユニットに接続され、前記少なくとも２つの制御指示にしたがって照明を制御するように構成される照明モジュールを含む。前記処理ユニットは、前記少なくとも２つの制御指示を前記キャッシュ・ユニットに前記実行順序にしたがって連続的に送信するように構成され、及び前記キャッシュ・ユニットは、さらに、前記少なくとも２つの制御指示を前記照明モジュールに、先入れ先出しの順番で送信するように構成される。
【００１４】
任意に、前記キャッシュ・ユニットは、さらに、前記少なくとも２つの制御指示を前記照明モジュールに、予め設定される時間間隔で先入れ先出しの順番で次々に送信するように構成される。
【００１５】
任意に、前記処理ユニットは、さらに、前記少なくとも２つの制御指示における実行時間点にしたがってクロック信号（clock）を発生するように構成され、ここで、前記クロック信号のクロックエッジ（clock edge）は実行時間点と同期し、及び前記キャッシュ・ユニットは、さらに、制御指示を前記照明モジュールに前記クロック信号の近づきつつあるクロックエッジで先入れ先出しの順番で送信するために構成される。
【００１６】
任意に、前記高周波ユニットは、受信器及び復調回路（demodulation circuit）を含む。前記受信器は、前記制御端末から無線送信される変調信号の受信用に構成され、及び前記復調回路は、前記変調信号を復調して前記少なくとも２つの制御指示に対応する制御指示セットを取得するため前記受信器と接続される。
【００１７】
本願開示のもう１つの側面により、照明システムが提供される。当該照明システムは、少なくとも１つの制御端末及び少なくとも１つのスマート照明装置を含む。
【００１８】
任意に、前記少なくとも１つの制御端末は少なくとも１つの携帯電話、携帯情報端末（personal digital assistant）、パソコン、ホームゲートウェイ（home gateway）、無線モデム、セットトップボックス（set-top box）、データカード（data card）、及び無線ルーターである。
【００１９】
本願開示のその他の側面は、本願開示の明細書、特許請求の範囲、及び図面に照らして、当業者は理解することができる。
【図面の簡単な説明】
【００２０】
類似の参照番号により類似の要素を識別する、以下の図面に関連して考慮するとき、本願開示の主題は、本願開示の主題の以下の詳細な説明を参照して、より完全に評価することができる。以下の図面は様々な開示の態様にしたがった説明のための単なる実例であり、本願発明の範囲を限定することを意図するものではないことに留意すべきである。
【００２１】
【図１】図１は、本願開示の主題のいくつかの態様にしたがった、１つの制御端末の概略構造図である。
【００２２】
【図２】図２は、本願開示の主題のいくつかの態様にしたがった、もう１つの制御端末の概略構造図である。
【００２３】
【図３】図３は、本願開示の主題のいくつかの態様にしたがった、１つのスマート照明装置の概略構造図である。
【００２４】
【図４】図４は、本願開示の主題のいくつかの態様にしたがった、もう１つのスマート照明装置の概略構造図である。
【００２５】
【図５】図５は、本願開示の主題のいくつかの態様にしたがった、１つの照明システムの概略構造図である。
【発明を実施するための形態】
【００２６】
当業者が本願開示の主題の技術的解決手段をより理解するために、添付図面に記載される本願開示の態様の実例を詳細に参照するであろう。可能な限り、全図面を通して、同一又は類似のものを言及するために同一の参照番号を用いる。
【００２７】
様々な態様にしたがって、本願開示の主題は、スマート照明装置、関連する制御端末、及び関連する照明システムを提供する。
【００２８】
図１にもどって、制御端末の概略構造図は本願開示の主題のいくつかの態様にしたがって示される。制御端末は、例えば、携帯電話、携帯情報端末、パソコン、ホームゲートウェイ、無線モデム、セットトップボックス、データカード、無線ルーター等のような如何なる適切な制御装置であり得る。いくつかの態様に表わされるように、前記制御端末は、入力ユニット１１、処理ユニット１２、及び第１高周波（ＲＦ）ユニット１３を含むことができる。
【００２９】
入力ユニット１１は、少なくとも２つの制御指示、及び前記少なくとも２つの制御指示の実行順序の受信用に構成される。制御指示は、例えば、照明のオン／オフ状態を制御するため、照明輝度を制御するため、照明色彩を制御するため、照明パターンを制御するため等、１又は複数のスマート照明装置に指示又はスマート照明装置を制御するために用いられる。
【００３０】
いくつかの態様において、入力ユニット１１は、特に、ユーザーの一連の入力から少なくとも２つの制御指示を受信するように構成される。この場合、前記少なくとも２つの制御指示の前記ユーザーの一連の入力の順序は、前記少なくとも２つの制御指示の実行順序として構成することができる。
【００３１】
例えば、ユーザーは、スイッチ・オン、輝度を約５０％に調節、及び照明を赤色に設定することを前記スマート照明装置に指示するために、入力ユニット１１を介して３つの制御指示を連続的に入力することができる。
【００３２】
いくつかの態様において、前記少なくとも２つの制御指示の実行順序は、前記少なくとも２つの制御指示を実行する時間系列を含むことができる。
【００３３】
いくつかの態様において、前記制御端末は、さらに、メモリー・ユニット（図示されていない）を含むことができる。多数の制御効果を前記制御端末の前記メモリー・ユニットに予め保存することができる。それぞれの制御効果は、前記制御効果に対応する照明効果を達成するため、前記１又は複数のスマート照明装置により実行することができる１又は複数の制御指示に対応することができる。
【００３４】
入力ユニット１１が、前記制御端末の前記メモリー・ユニットに保存される制御効果を示すユーザー入力を受信するとき、入力ユニット１１は前記制御効果及び前記少なくとも２つの制御指示の実行時間点に対応する少なくとも２つの制御指示を決定することができる。
【００３５】
例えば、ユーザーがスマート照明装置を制御して次第に輝度を上げたいと思うとき、制御効果である「グラデーション輝度（gradient bright）」を前記ユーザーは選択することができる。制御効果である「グラデーション輝度」を示す前記ユーザー入力に基づき、制御端末１は、前記スマート照明装置を制御して前記輝度を２０ミリ秒ごとに約１０％上げることができる一連の制御指示を決定することができる。例えば、第１制御指示は第１時間点の０ミリ秒において前記スマート照明装置の最大輝度の約１０％の輝度を設定し、第２制御指示は第２時間点の約２０ミリ秒において約２０％の輝度を設定し、第３制御指示は第３時間点の約４０ミリ秒において約３０％の輝度を設定し、第４制御指示は第４時間点の約６０ミリ秒において約４０％の輝度を設定し、第５制御指示は第５時間点の約８０ミリ秒において約５０％の輝度を設定し、第６制御指示は第６時間点の約１００ミリ秒において約６０％の輝度を設定し、第７制御指示は第７時間点の約１２０ミリ秒において約７０％の輝度を設定し、第８制御指示は第８時間点の約１４０ミリ秒において約８０％の輝度を設定し、第９制御指示は第９時間点の約１６０ミリ秒において約９０％の輝度を設定し、及び第１０制御指示は第１０時間点の約１８０ミリ秒において前記スマート照明装置の最大輝度の約１００％の輝度を設定する。
【００３６】
上述のパーセンテージ（例えば、１０％、２０％、３０％、．．．１００％）は前記スマート照明装置の輝度レベルを記述するために用いられ、及びこのスマート照明装置の最大輝度に対する前記スマート照明装置の現在の輝度の比率により決定される、ことに留意すべきである。
【００３７】
その他の態様において、特定のアルゴリズムに基づき一連の制御指示を取得するためにユーザー特異的な制御効果を処理することができる。具体的には、ユーザー特異的な制御効果について、本願開示の制御端末は、前記１又は複数のスマート照明装置の各時間点における制御状態を取得するために、前記１又は複数のスマート照明装置についてのシミュレーションを処理することができる。各時間点について及び各制御状態に対応して、次に制御指示を発生させることができる。
【００３８】
例えば、ユーザーは、ダンスホールの照明コンビネーションが演奏される音楽と協調して変化しているという制御効果の実現を希望することができる。本願開示の制御端末は、前記ダンスホールにおける各スマート照明装置の多数の時間点における一連の制御状態を取得するために、演奏されている音楽に基づき前記ダンスホールにおける各スマート照明装置の照明をシミュレートすることができる。シミュレーション結果に基づき、一連の対応する制御指示を、例えば、入力ユニット１１のような前記制御端末により発生させることができる。
【００３９】
処理ユニット１２は入力ユニット１１に接続される。処理ユニット１２は入力ユニット１１から受信した前記少なくとも２つの制御指示を封入して、制御指示セットを形成することができる。
【００４０】
前記制御指示セットは、前記少なくとも２つの制御指示及び前記少なくとも２つの制御指示の実行順序を含むことができる。
【００４１】
第１ＲＦユニット１３は処理ユニット１２に接続される。第１ＲＦユニット１３は、制御指示及び／又はその制御指示セットを１又は複数のスマート照明装置に送信することができる。
【００４２】
本願開示のように、制御端末は、少なくとも２つの制御指示を制御指示セットに封入し、及び前記制御指示セットを１又は複数のスマート照明装置に送信するために用いることができる。前記スマート照明装置は、前記少なくとも２つの制御指示及び前記少なくとも２つの制御指示の実行順序を取得するために前記受信された制御指示を解析することができる。前記実行順序にしたがって、前記少なくとも２つの制御指示を前記スマート照明装置により次々に、実行及び制御することができる。前記制御指示セットは前記少なくとも２つの制御指示を同時に送信するために用いるため、前記制御端末が前記スマート照明装置を制御するときに、及びネットワーク渋滞及び隣接する制御指示の長い間隔の間の長過ぎる受信時間間隔のために、発生する制御適時性の問題を解決することができる。
【００４３】
図２にもどって、もう１つの制御端末の概略構造図が本願開示の主題のいくつかの態様にしたがって提供される。
【００４４】
図示されるように、第１ＲＦユニット１３は、さらに、送信器１３２及び変調回路１３１を含むことができる。
【００４５】
変調回路１３１は、変調された制御信号を取得するために予め設定される変調スキームに基づき前記制御指示セットを変調することができる。
【００４６】
送信器１３２は変調回路１３１に接続される。送信器１３２は、前記変調された制御信号を前記１又は複数のスマート照明装置に無線送信することができる。
【００４７】
長距離信号送信を確保するため、制御信号の周波数スペクトルは高周波スペクトル・チャネルにおける送信のために変調することができる。したがって、前記変調プロセスは送信されるべき信号を高周波をもつ信号としてロードする（load）ことができる。制御信号はアナログ信号又はデジタル信号であり得る。変調は、振幅変調（ＡＭ）、周波数変調（ＦＭ）、及び位相変調を含むことができる。
【００４８】
本願に開示のように、制御端末は少なくとも２つの制御指示を制御指示セットに封入し、及び当該制御指示セットを１又は複数のスマート照明装置に送信するために用いることができる。前記スマート照明装置は、前記少なくとも２つの制御指示及び前記少なくとも２つの制御指示の実行順序を取得するために、前記受信された制御指示セットを解析することができる。前記実行指示にしたがって、前記スマート照明装置により次々に前記少なくとも２つの制御指示を実行及び制御することができる。前記制御指示セットは前記少なくとも２つの制御指示を同時に送信するために用いるため、前記制御端末が前記スマート照明装置を制御するときに、及びネットワーク渋滞及び隣接する制御指示の長い間隔の間の長過ぎる受信時間間隔のために、発生する制御適時性の問題を解決することができる。
【００４９】
図３にもどって、１つのスマート照明装置の概略構造図が本願開示の主題のいくつかの態様にしたがって示される。
【００５０】
図示されるように、スマート照明装置は、第２ＲＦユニット３１、処理ユニット３２、キャッシュ・ユニット３３、及び照明モジュール３４を含むことができる。
【００５１】
第２ＲＦユニット３１は、制御端末により送信される制御指示セットを受信するように構成することができる。
【００５２】
処理ユニット３２は第２ＲＦユニット３１に接続される。処理ユニット３２は、少なくとも２つの制御指示の実行順序と同様、前記少なくとも２つの制御指示を取得するために前記制御指示セットを解析することができる。また、処理ユニット３２は、前記実行順序にしたがって、前記少なくとも２つの制御指示をキャッシュ・ユニット３３に連続して送信することもできる。
【００５３】
キャッシュ・ユニット３３は処理ユニット３２と接続される。キャッシュ・ユニット３３は処理ユニット３２から受信される前記少なくとも２つの制御指示を一時的に保存又はキャッシュすることができ、及び前記少なくとも２つの制御指示のそれぞれを前記実行順序にしたがって照明モジュール３４に次々に送信することができる。
【００５４】
いくつかの態様において、キャッシュ・ユニット３３は前記キッシュされた少なくとも２つの制御指示を前記照明モジュール３４に、予め設定される時間間隔で先入れ先出しの順序（ＦＩＦＯ）により次々に送信することができる。
【００５５】
選択的に及び任意に、前記制御指示は実行時間点を含むことができる。よって、処理ユニット３２は、前記少なくとも２つの制御指示に含まれる前記実行時間点にしたがってクロック信号を発生するように構成することができる。前記クロック信号のクロックエッジは、前記少なくとも２つの制御指示のそれぞれを実行するために前記実行時間点に同期させることができる。各クロック信号の近づきつつあるクロックエッジにおいて、キャッシュ・ユニット３３は、キャッシュされた制御指示を前記照明モジュールに先入れ先出し（ＦＩＦＯ）の順序で送信するように構成することができる。
【００５６】
前記少なくとも２つの制御指示を一時的に保存又はキャッシュするために前記スマート照明装置におけるキャッシュ・ユニット３３を用いることにより、前記少なくとも２つの制御指示を連続的に実行して、前記１又は複数のスマート照明装置が照明効果の円滑な変化を達成することができる。
【００５７】
照明モジュール３４はキャッシュ・ユニット３３と接続することができる。照明モジュール３４は異なる照明機能を実行して、キャッシュ・ユニット３３から受信される制御指示にしたがって前記照明を制御することができる。照明モジュール３４は、発光ダイオード（ＬＥＤ）、色フィルター、光学レンズ、偏光膜、又は如何なるその他の適切な部品のような、１又は複数の照明部品を含むことができる。
【００５８】
本願に開示のように、制御端末は少なくとも２つの制御指示を制御指示セットに封入し、及び当該制御指示セットを１又は複数のスマート照明装置に送信するために用いることができる。前記スマート照明装置は、前記少なくとも２つの制御指示及び前記少なくとも２つの制御指示の実行順序を取得するために、前記受信された制御指示セットを解析することができる。前記実行順序にしたがって、前記スマート照明装置により次々に前記少なくとも２つの制御指示を実行及び制御することができる。前記制御指示セットは前記少なくとも２つの制御指示を同時に送信するために用いるため、前記制御端末が前記スマート照明装置を制御するときに、及びネットワーク渋滞及び隣接する制御指示の長い間隔の間の長過ぎる受信時間間隔のために、発生する制御適時性の問題を解決することができる。
【００５９】
図４にもどって、もう１つのスマート照明装置の概略構造図が本願開示の主題のいくつかの態様にしたがって示される。
【００６０】
図３に表わされるスマート照明装置の１例に基づいて、図４の前記スマート照明装置における第２ＲＦユニット３１は受信器３１１及び復調回路３１２を含むことができる。
【００６１】
受信器３１１は、例えば、図１及び２に関連して上述のような制御端末から無線送信される変調信号を受信することができる。
【００６２】
復調回路３１２は受信器３１１と接続される。復調回路３１２は、前記変調信号に対応する制御指示セットを取得するために前記受信された変調信号を復調するように構成することができる。前記復調は、ＡＭ、ＦＭ、又は位相変調についての特定モードのような、予め設定される復調スキームで実行することができる。
【００６３】
長距離信号送信を確保するため、制御信号の周波数スペクトルは高周波スペクトル・チャネルにおける送信のために変調することができる。したがって、前記変調プロセスは送信されるべき信号を高周波をもつ信号にロードする（load）ことができる。制御信号はアナログ信号又はデジタル信号であり得る。変調は、振幅変調（ＡＭ）、周波数変調（ＦＭ）、及び位相変調を含むことができる。前記受信端子において、前記変調信号を前記ＡＭ、ＦＭ、及び位相変調にしたがって復調することができる。
【００６４】
本願に開示のように、制御端末は少なくとも２つの制御指示を制御指示セットに封入し、及び当該制御指示セットを１又は複数のスマート照明装置に送信するために用いることができる。前記スマート照明装置は、前記少なくとも２つの制御指示及び前記少なくとも２つの制御指示の実行順序を取得するために、前記受信された制御指示セットを解析することができる。前記実行順序にしたがって、前記スマート照明装置により次々に前記少なくとも２つの制御指示を実行及び制御することができる。前記制御指示セットは前記少なくとも２つの制御指示を同時に送信するために用いるため、前記制御端末が前記スマート照明装置を制御するときに、及びネットワーク渋滞及び隣接する制御指示の長い間隔の間の長過ぎる受信時間間隔のために、発生する制御適時性の問題を解決することができる。
【００６５】
図５にもどって、１つの照明装置の概略構造図が本願開示の主題のいくつかの態様にしたがって示される。
【００６６】
図示されるように、本願開示の照明システムは少なくとも１つの制御端末１及び少なくとも１つのスマート照明装置２を含むことができる。前記制御端末１は、例えば、図１及び２における前記制御端末であり得、前記スマート照明装置２は、例えば、図３及び４における前記スマート照明装置であり得る。
【００６７】
制御端末１は、例えば携帯電話、携帯情報端末、パソコン、ホームゲートウェイ、無線モデム、セットトップボックス、データカード、無線ルーター等を含む如何なる適切な形態であり得る。
【００６８】
幾つかの態様において、前記照明システムは多数のスマート照明装置２を含むことができる。前記多数のスマート照明装置２は、同一の識別番号（ＩＤ）をもつことができ、又は異なるＩＤをもつことができる。
【００６９】
幾つかの態様において、ユーザーが１又は複数の制御指示及び／又は制御効果を選択及び／又は入力するためのアプリケーション（ＡＰＰ）は前記制御端末１に予めインストールすることができる。制御端末１における前記ＡＰＰは同一の制御指示セットを多数のスマート照明装置２に同時にブロードキャスト（broadcast）することができる。また、制御端末１における前記ＡＰＰは異なる制御指示セットを多数のスマート照明装置２に同時かつそれぞれに送信することもできる。
【００７０】
前記１又は複数の制御端末１から送信される前記１又は複数の制御指示セットにしたがって、前記多数のスマート照明装置２はそれぞれ異なる照明機能を実行することができ、および前記多数のスマート照明装置２の照明変化コンビネーションは様々な照明効果を提供することができる。
【００７１】
例えば、多数のスマート照明装置２は円形に配置することができ、及び制御端末１は、前記多数のスマート照明装置２の照明変化を前記制御端末１の前記ＡＰＰソフトウエアを用いて制御してメリーゴーランド照明効果を提供するために、それぞれの前記多数のスマート照明装置２にそれぞれ、の制御指示セットを送信することができる。
【００７２】
もう１つの例のように、前記多数のスマート照明装置２は、演奏されている音楽に対応して色彩変化照明効果を提供することができる。
【００７３】
本願に開示のように、制御端末は少なくとも２つの制御指示を制御指示セットに封入し、及び当該制御指示セットを１又は複数のスマート照明装置に送信するために用いることができる。前記スマート照明装置は、前記少なくとも２つの制御指示及び前記少なくとも２つの制御指示の実行順序を取得するために、前記受信された制御指示セットを解析することができる。前記実行順序にしたがって、前記スマート照明装置により次々に前記少なくとも２つの制御指示を実行及び制御することができる。前記制御指示セットは前記少なくとも２つの制御指示を同時に送信するために用いるため、前記制御端末が前記スマート照明装置を制御するときに、及びネットワーク渋滞及び隣接する制御指示の長い間隔の間の長過ぎる受信時間間隔のために、発生する制御適時性の問題を解決することができる。
【００７４】
そのようなものとして、１又は複数の前記スマート照明装置の発光の輝度、色彩、及び／又は色彩温度が調節されて異なる視認できる照明効果を創り出すように、照明効果はそれぞれのスマート照明装置の発光を調節することにより達成することができる。
【００７５】
前記スマート照明装置は、例えば、空き地、建物、又は如何なる適切なインドア／アウトドアの場所のような、所望の場所で制御することができる。前記スマート照明装置は、個別に又はグループとして制御することができ、ここで、それぞれは１又は複数の制御端末からの前記１又は複数の制御指示セットに応答して対応する１又は複数の照明効果をともなって制御されている。
【００７６】
１又は複数の制御端末は、１又は複数のスマート照明装置を制御するために前記照明システムに含めることができる。例えば、アプリケーション・ソフトウエアがインストールされたそれぞれれの制御端末は、１又は１群のスマート照明装置を制御するために、それに搭載されたインターフェースを用いることができる。
【００７７】
１又は複数の制御端末の制御により、それぞれのスマート照明装置は様々なユーザーのニーズに応えるために用いることができる。１つの例において、１又は複数の制御端末は、通りの近くのビルの中に位置する１又は複数のスマート照明装置を制御するために用いることができ、また前記建物の反対側の通りの近くの空き地に位置する１又は複数のスマート照明装置を制御するために用いることもできる。前記通りの両側の１又は複数のスマート照明装置は、異なる又は同一の照明効果を提供するために及び／又は特定の照明効果を提供するためにもう１つのスマート照明装置と協働するために制御することができる。
【００７８】
もう１つの例において、１又は複数のあるスマート照明装置からの発光の輝度は調光することができ、一方、１又は複数のその他のスマート照明装置からの発光の色彩及び色彩温度は、組み合わされた照明効果を提供するために調節することができる。
【００７９】
さらに１つの例において、１又は複数のあるスマート照明装置からの発光の色彩は緑色に制御することができ、一方、１又は複数のその他のスマート照明装置からの発光の色彩は、組み合わされた照明効果を提供するために赤色に制御することができる。
【００８０】
前記スマート照明装置は、環境変化にしたがって照明効果を提供するために制御することができる。例えば、１又は複数の前記制御端末及び／又は１又は複数の前記スマート照明装置は、オーディオ／ビデオ情報を局所的に収集及び取得するように構成される音声及び／又はビデオ取得ユニットを含むことができる。前記オーディオ／ビデオ情報に基づき、それらの制御指示及び実行順序は発生及び処理されて１又は複数の制御端末により１又は複数の制御指示セットを形成することができ、これは次に１又は複数の個別のスマート照明装置及び／又は１又は複数のグループのスマート照明装置に送信することができる。
【００８１】
例えば、１又は複数のスマート照明装置含む第１グループは第１歌曲（又は如何なるタイプの音楽）を演奏する第１部屋に設置され、一方、１又は複数のスマート照明装置含む第２グループは第２歌曲を演奏する第２部屋に設置される。各部屋の前記収集情報に基づき、各部屋の照明効果は異なることができ、特定の方法で協働することができる。
【００８２】
さらに、各部屋の歌曲が切り替わるとき、それにしたがって、その部屋の照明効果も制御することができる。前記ユーザーは、制御端末を用いて前記音楽変化に関連する照明信号／調節を定義することができる。例えば、ユーザーは、前記新規音楽を１又は複数のスマート照明装置により生成されるより暖かな又はより涼しい光に関連づけることができる。１つの例において、ユーザーはある新規歌曲に変更し、及び新規歌曲に切り替えるとき、第１照明装置をより暖かい色の光に（例えば、キッチンの照明装置）、及び第２照明装置をより涼しい色の光に（例えば、書斎の照明装置）制御及び調節するために１又は複数の前記制御端末を用いることができる。
【００８３】
もう１つの態様において、前記スマート照明装置（又は前記制御端末）は、人感センサー（motion sensors）、温度センサー、照明センサー、温度センサー、空気環境センサー（air quality sensors）などのようなセンサーを含むことができる。これらのセンサーにより検知される情報が前記制御端末に送信されているとき、前記制御端末は、対応する１又は複数のスマート照明装置の照明効果を制御するために１又は複数の制御指示セットを提供するように処理を行うことができる。
【００８４】
様々な態様において、１又は複数のスマート照明装置は、自身又はその他の装置の異常状態を示すために点滅光を提供するように制御することができる。
【００８５】
いくつかの態様において、如何なる適切なコンピュータ読み取り可能な媒体を、本願開示のプロセスの実行のための保存指示用に用いることができる。例えば、いくつかの態様において、コンピュータ読み取り可能な媒体は、一時的な又は非一時的なものでよい。例えば、非一時的なコンピュータ読み取り可能な媒体には、磁性媒体（例えば、ハードディスク、フロッピーディスク、及び／又は如何なるその他の適切な媒体）、光学媒体（例えば、コンパクトディスク、デジタルビデオディスク、ブルーレイディスク、及び／又は如何なるその他の適切な光学媒体）、半導体媒体（例えば、フラッシュメモリー、電気的プログラマブル読み取り専用メモリー（ＥＰＲＯＭ）、電気的消去可能プログラマブル読み取り専用メモリー（ＥＥＰＲＯＭ）、及び／又は如何なるその他の適切な半導体媒体）、送信中の永続性が一時的ではない又は欠けていない如何なる適切な媒体、及び／又は如何なる適切な有体物媒体が含まれ得る。もう１つの例として、一時的なコンピュータ読み取り可能な媒体には、ネットワーク上の、配線、半導体、光学ファイバー、回路、送信中の永続性が一時的ではない又は欠けていない如何なる適切な媒体、及び／又は如何なる適切な媒体における信号が含まれ得る。
【００８６】
本願に記述される実例の提供（「のような」、「例えば」、「含む」等のように表現される節と同様）は、請求項の主題を前記特定の実例に限定するものと解釈すべきではなく、むしろ、前記実例は多くの可能性がある側面のいくつかのみ表わすことを意図するものである。
【００８７】
以上より、スマート照明装置、関連する制御端末、及び関連する照明システムが提供される。
【００８８】
本願開示の主題は前述した説明的な態様に記述及び表現されるが、本願開示が実例の方法のみによってなされていること、及び本願開示の主題の態様の詳細における多くの変更が本願開示の主題の本質及び範囲から乖離することなしになされることが理解され、以下の特許請求の範囲によって限定されるだけである。本願開示の態様の特徴は、様々な方法で組み合わせたり、再配置したりすることができる。本願開示の主題の本質及び範囲から乖離することなしに、本願開示の主題への修飾、等価物、又は改善は、当業者に理解でき、本願発明の範囲内での拡張として意図されるものである。
【符号の説明】
【００８９】
１  制御端末
２  スマート照明装置
１１  入力ユニット
１２  処理ユニット
１３  第１ＲＦユニット
１３１  変調回路
１３２  送信器
３１  第２ＲＦユニット
３２  処理ユニット
３３  キャッシュ・ユニット
３４  照明モジュール
３１１  受信器
３１２  復調回路
【図１】
0006291143.tif 000002
【図２】
0006291143.tif 000003
【図３】
0006291143.tif 000004
【図４】
0006291143.tif 000005
【図５】
0006291143.tif 000006